(57)【要約】【課題】既に記入したスケジュールの内容と、最新のスケジュールとが記入されたカレンダー用紙を、見られる状態に貼り付けてスケジュールの確認を行なえるようにしたカレンダー用紙積重体を提供する。【解決手段】  表面に１か月分を構成する日付が表示された複数枚のカレンダー用紙が、予め複写記入可能に積み重ねられてなるカレンダー用紙積重体であって、カレンダー用紙の表面には、表示された日付部分ごとにスケジュールを記入するためのメモ記入欄が設けられ、カレンダー用紙の裏面には、再剥離性粘着剤が塗布され、更に該カレンダー用紙の下側に重ねられたカレンダー用紙の表面には、離型剤が塗布され、前記再剥離性粘着剤と前記離型剤とが貼り合わされてなり、カレンダー用紙積層体を構成する全てのカレンダー用紙の表面には、それぞれ同一月を構成する日付と、同一のレイアウトからなるメモ記入欄とが表示されていることを有することを特徴とする。【選択図】        図1
2005335104.tif 000002
【特許請求の範囲】
【請求項１】
表面に１か月分を構成する日付が表示された複数枚のカレンダー用紙が、予め複写記入可能に積み重ねられてなるカレンダー用紙積重体であって、
前記カレンダー用紙の表面には、表示された日付部分ごとにスケジュールを記入するためのメモ記入欄が設けられ、前記カレンダー用紙の裏面には、再剥離性粘着剤が塗布され、更に該カレンダー用紙の下側に重ねられたカレンダー用紙の表面には、離型剤が塗布され、前記再剥離性粘着剤と前記離型剤とが貼り合わされてなり、
前記カレンダー用紙積層体を構成する全てのカレンダー用紙の表面には、それぞれ同一月を構成する日付と、同一のレイアウトからなるメモ記入欄とが表示されていることを有することを特徴とするカレンダー用紙積重体。
【請求項２】
前記再剥離性粘着剤並び前記離型剤とが、前記カレンダー用紙のメモ記入欄と重ならない部分に備えられていることを特徴とする請求項１記載のカレンダー用紙積重体。
【発明の詳細な説明】
【技術分野】
【０００１】
本発明は、表面に１か月分を構成する日付が表示されたカレンダー用紙が、予め複写記入可能に複数枚積み重ねられてなるカレンダー用紙積重体に関する。
【背景技術】
【０００２】
従来、スケジュールなどのメモを使用者が自由に記入するためのメモ記入欄が設けられている種々のカレンダーが販売され使用されている。
これらのカレンダーは、一般的に表面に１か月分を構成する日付と、各日付部分に設けられたメモ記入欄とが表示された１枚のカレンダー用紙が、１年分を構成する１２か月分の１２枚程重ねられて、透明なケースに入れられたり、また各々のカレンダー用紙の一部分で綴じ合わされるなどして１セットとなって販売されるなどしている。
通常、これらのカレンダーは、使用者が見やすい所望の場所に鋲などを使用して張り付けるなどして備えたり、机の上に置くなどして使用されるため、常時所持していつでもスケジュールの確認を行ないたくてもカレンダーに記入した内容を外出時に見て確認できない。
【０００３】
しかしながら、仕事が忙しい人などでは、常時、新たなスケジュールが頻繁に入ったり、スケジュールの変更が行なわれるなどすることも多く、自分のスケジュールをカレンダーにメモするだけではなく、いつでも、どこでも見られる状態にしておかないと、スケジュールをうっかり忘れることもある。
従来、スケジュールなどの忘れを防止する方法として、例えば、裏面に再剥離性粘着剤が塗布されたメモ用紙にスケジュールなどを記入して、自分がいつでも見られる場所に貼り付けるなどしているが、この場合には、せいぜいその日だけの簡単なスケジュールなどをメモしておく程度であって、先々のスケジュールまで記入しておくことはできない。
【０００４】
仮に、裏面に再剥離性粘着剤が塗布されたメモ用紙に、先々のスケジュールなどを記入したとしても、スケジュールの追記や変更時にそのメモ用紙を何度も貼りかえることで、次第に粘着力が低下して、貼っても知らないうちに落ちてしまい紛失することも考えられ好ましくない。
従来技術として、表面の一部に１日分の日付が記された１か月分のメモ用紙で、その裏面上部に再剥離性粘着剤が塗布されているカレンダーが公知となっているが、１枚のメモ用紙には、その日だけのスケジュールだけしか記入できないので、明日以降のスケジュールまで確認することができないという問題がある。
【特許文献１】特開平９−２２６２７０号公報
【発明の開示】
【発明が解決しようとする課題】
【０００５】
本発明は、１か月分のスケジュールを記入することができ、スケジュールの追加や変更が生じた場合でも随時にそれらの事項を追記可能で、常に既に記入したスケジュールの内容と、最新のスケジュールとが記入されたカレンダー用紙を、いつでも、どこでも見られる状態に貼り付けてスケジュールの確認を行なえるようにしたカレンダー用紙積重体を提供する。
【課題を解決するための手段】
【０００６】
本発明のカレンダー用紙積重体は、表面に１か月分を構成する日付が表示された複数枚のカレンダー用紙が、予め複写記入可能に積み重ねられてなるカレンダー用紙積重体であって、前記カレンダー用紙の表面には、表示された日付部分ごとにスケジュールを記入するためのメモ記入欄が設けられ、前記カレンダー用紙の裏面には、再剥離性粘着剤が塗布され、更に該カレンダー用紙の下側に重ねられたカレンダー用紙の表面には、離型剤が塗布され、前記再剥離性粘着剤と前記離型剤とが貼り合わされてなり、前記カレンダー用紙積層体を構成する全てのカレンダー用紙の表面には、それぞれ同一月を構成する日付と、同一のレイアウトからなるメモ記入欄とが表示されていることを有することを特徴とする。
【０００７】
また、本発明のカレンダー用紙積重体は、前記再剥離性粘着剤並び前記離型剤とが、前記カレンダー用紙のメモ記入欄と重ならない部分に備えられていることを特徴とする。
【発明の効果】
【０００８】
本発明のカレンダー用紙積重体は、スケジュールの記入、追記入、変更事項など記入が行なわれた場合でも、それらの全ての事項がカレンダー用紙積重体を構成する下位のカレンダー用紙に複写されるので、一度記入したスケジュールをその都度別の用紙に書き換える必用がなく、過去におけるスケジュール及び最新のスケジュールの記録がされたカレンダー用紙の作成を行なうことができると共に、また、最新のスケジュールが記載され、再剥離性粘着剤が塗布されたカレンダー用紙が複数枚重ねられて設けられているので、必用に応じて複数回繰り返して所望の場所や位置に貼りかえて使用することができ、いつでも、どこでも１か月間におけるスケジュールの確認を行なうことができるという効果がある。
【０００９】
また、カレンダー用紙のメモ記入欄と重ならない部分に、再剥離性粘着剤並び離型剤とを備えるようにすることで、記入事項の確実な複写を行なうことができるという効果がある。
【発明を実施するための最良の形態】
【００１０】
以下、本発明の実施形態に係るカレンダー用紙積重体について、図面に基づいて詳細に説明する。
図１は、本発明の実施形態に係るカレンダー用紙積重体の斜視図、図２は、図１のＡ−Ａ線断面図、図３は、本発明の実施形態に係るカレンダー用紙積重体を構成する各カレンダー用紙を剥離した状態を示す斜視図、図４は、本発明の実施形態に係るカレンダー用紙積重体への記入例を示す斜視図、図５は、本発明の実施形態に係るカレンダー用紙積重体において、記入された最上位のカレンダー用紙を剥離し、複写された下位のカレンダー用紙に対して記入した状態を示す斜視図、図６は、本発明の実施形態に係るカレンダー用紙積重体において、最上位のカレンダー用紙を被着物に貼り付けた状態を示す断面図である。
【００１１】
本発明の実施形態に係るカレンダー用紙積重体１は、表面に１か月分を構成する日付が表示された複数枚のカレンダー用紙２ａ〜２ｅが、予め複写記入可能に積み重ねられている。
尚、この実施形態の例では、５枚のカレンダー用紙２ａ〜２ｅが複写記入可能に積み重ねられている実施形態について説明する。
【００１２】
複数枚のカレンダー用紙２ａ〜２ｅは、ノーカーボン複写方式による感圧複写が行なえるように構成され、最上位のカレンダー用紙２ａは、ノーカーボン用紙の上葉紙、中間に位置するカレンダー用紙２ｂ〜２ｄは、ノーカーボン用紙の中葉紙、最下位のカレンダー用紙２ｅは、ノーカーボン用紙の下葉紙に該当している。
つまり、最下位のカレンダー用紙２ｅを除く、他の４枚のカレンダー用紙２ａ〜２ｄには、その裏面側に発色剤がマイクロカプセルに封入された発色剤層３が備えられ、また、最上位のカレンダー用紙２ａを除く、他の４枚のカレンダー用紙２ｂ〜２ｅには、その表面側に顕色剤が塗布された顕色剤層４が備えられている。
【００１３】
また、最下位のカレンダー用紙２ｅを除く、他の４枚のカレンダー用紙２ａ〜２ｄには、その裏面の上部に再剥離可能に擬似接着する再剥離粘着剤層５が備えられている。
更に、最上位のカレンダー用紙２ａを除く、他の４枚のカレンダー用紙２ｂ〜２ｅには、その表面の上部に離型剤層６が備えられている。
そして、５枚のカレンダー用紙２ａ〜２ｅを積み重ね合わせた際に、再剥離粘着剤層５と離型剤層６とが重なる状態で剥離可能に接着されている。
【００１４】
以上のように、積み重ねられた５枚のカレンダー用紙２ａ〜２ｅは、再剥離粘着剤層５と離型剤層６とが重なる状態で剥離可能に接着されているので、最下位のカレンダー用紙２ｅを除く、他の４枚のカレンダー用紙２ａ〜２ｄは、必要に応じて１枚づつ剥離させて、その裏面に備えられている再剥離粘着剤層５により所望の場所に貼付できるように構成されている。
尚、カレンダー用紙に備えられている再剥離性粘着剤層５並び離型剤層６とは、ノーカーボン複写方式による感圧複写を効果的に行なうことからも、カレンダー用紙のメモ記入欄と重ならない部分に備えることが好ましい。
したがって、各カレンダー用紙の裏面上部に再剥離性粘着剤層５が塗布され、また、各カレンダー用紙の表面上部に離型剤層６が塗布され、前記再剥離性粘着剤層５と前記離型剤層６とが貼り合わされている。
【００１５】
また、図３に示すように、５枚積み重ねられた全てのカレンダー用紙２ａ〜２ｅの表面には、年度並びに月を特定するための表示が施されている。
図示した例では、２００５年１月用のカレンダー用紙積重体の例が示されているが、各カレンダー用紙２ａ〜２ｅの表面に、それぞれ１月の１か月分を構成する日付７が縦方向に順番に表示され、それらの各日付ごとに、その右側にスケジュールを記入するためのスペースからなるメモ記入欄８が備えられている。
そして、各々の日付７と、各日付７に対応して備えられた各々のメモ記入欄８とを区分けするための罫線９が表示され、スケジュールを記入する際にそのスケジュールが何日のスケジュールであるのかがわかるようにしてある。
【００１６】
５枚積み重ねられた全てのカレンダー用紙２ａ〜２ｅの表面に表示されている内容は、全て同一であり、全て同一の年度、月、日付７、メモ記入欄８、罫線９が表示されている。
つまり、実施形態に係るカレンダー用紙積重体１では、２００５年１月のカレンダー用紙２ａ〜２ｅが５枚剥離可能に重ねられて、必要に応じて各カレンダー用紙を剥離して使用できるように構成されている。
したがって、本発明に係るカレンダー用紙積重体１では、複数枚積み重ねられた全てのカレンダー用紙の表面に表示されている内容が、全て同一で、全て同一の年度、月、日付７、メモ記入欄８、罫線９が表示されていればよいのであり、２００５年１月に限定されるものではない。
【００１７】
次に、本発明の実施形態に係るカレンダー用紙積重体１の使用方法を、図４乃至図６に基づいて説明する。
まず、使用者は、２００５年１月のスケジュールをカレンダー用紙積重体１における最上位のカレンダー用紙２ａのメモ記入欄８にボールペン等の筆記具で記入する。
この際に、筆記具で記入されたスケジュール内容は、各カレンダー用紙の表面並びに裏面に備えられている発色剤層３並びに顕色剤層４により、下位にある各々のカレンダー用紙に対して複写される。
【００１８】
その後、使用者は、図５に示すように、カレンダー用紙積重体１から最上位のカレンダー用紙２ａを剥離して、図６に示すように、使用者がいつでも見て確認ができるような場所に、カレンダー用紙２ａの裏面に備えられている再剥離粘着剤層５を押し付けて被着物１０に貼付しておく。
【００１９】
更に、その後において、新たなスケジュールが発生したり、またスケジュールの内容に変更などが生じた場合には、図５に示すように、カレンダー用紙積重体１における２枚目に位置するカレンダー用紙２ｂのメモ記入欄８に、必要に応じてそれらの新たなスケジュールや、またスケジュール内容の変更などについて、使用者がボールペン等の筆記具で記入する。
カレンダー用紙積重体１における２枚目に位置するカレンダー用紙２ｂのメモ記入欄８には、既に最上位のカレンダー用紙２ａに記入された内容が複写されて記入表示されていているので、新たなスケジュールや、またスケジュール内容の変更などの記入は、既に複写されている内容に付加された状態で、カレンダー用紙２ｂに表示される。
【００２０】
また、カレンダー用紙積重体１の２枚目に位置するカレンダー用紙２ｂのメモ記入欄８に記入された内容は、カレンダー用紙積重体１における上から３枚目のカレンダー用紙２ｃ乃至５枚目のカレンダー用紙２ｅまでの各々のカレンダー用紙に複写される。
そして、この段階では、カレンダー用紙積重体１の２枚目に位置するカレンダー用紙２ｂに複写表示並びに記入された内容が最新のスケジュールの内容であるので、カレンダー用紙積重体１からカレンダー用紙２ｂを剥離させて、既に被着物１０に貼付してあるカレンダー用紙２ａを破棄し、新たにカレンダー用紙２ｂの裏面に備えられている再剥離粘着剤層５を被着物１０に押し付けて貼付させる。
これにより、最新のスケジュール内容を、カレンダー用紙２ｂを見ることで確認することができる。
【００２１】
以上のように、使用者は、自分のスケジュールについて、必要に応じて随時にカレンダー用紙積重体１の上位にあるカレンダー用紙に記入した後、そのカレンダー用紙を剥離させて所望の場所に貼付させるだけで、その月における最新のスケジュールの全てを確認できるようにしてある。
尚、カレンダー用紙積重体１を構成するカレンダー用紙は、記入した内容が最下位のカレンダー用紙まで複写可能な状態に構成されていれば、任意に積み重ねる枚数を設定することができる。
また、各カレンダー用紙の表面に表示されている各々の日付７や、その日付７に対応して備えられた各々のメモ記入欄８や、罫線９などのレイアウトも任意のデザインにすることもできる。
【００２２】
また、本発明の実施形態に係るカレンダー用紙積重体１は、１年を構成する１月から１２月の１２か月分における各月からなる１２セットのカレンダー用紙積重体１を作製して、１年分用として販売するなどすることが好ましい。
【００２３】
尚、本発明の実施形態に係るカレンダー用紙積重体１を作製する場合には、１シートに対して、１月分の日付やメモ記入欄及び罫線などからなる表示を、並列して複数個印刷しておき、複数枚のシートを重ね合わせた後に、１月分の表示毎に断裁して１セットごとのカレンダー用紙積重体１を作製する。
この場合、１シートに並列して複数個印刷する内容を、１月から１２月の１２か月分とすれば、重ね合わせたシートを各月ごとに断裁することで、１月から１２月の１年分の１２セットからなる１年分用のカレンダー用紙積重体１を作製できて便利である。
【図面の簡単な説明】
【００２４】
【図１】本発明の実施形態に係るカレンダー用紙積重体の斜視図である。
【図２】図１のＡ−Ａ線断面図である。
【図３】本発明の実施形態に係るカレンダー用紙積重体を構成する各カレンダー用紙を剥離した状態を示す斜視図である。
【図４】本発明の実施形態に係るカレンダー用紙積重体への記入例を示す斜視図である。
【図５】本発明の実施形態に係るカレンダー用紙積重体において、記入された最上位のカレンダー用紙を剥離し、複写された下位のカレンダー用紙に対して記入した状態を示す斜視図である。
【図６】本発明の実施形態に係るカレンダー用紙積重体において、最上位のカレンダー用紙を被着物に貼り付けた状態を示す断面図である。
【符号の説明】
【００２５】
１  カレンダー用紙積重体
２ａ〜２ｅ  カレンダー用紙
３  発色剤層
４  顕色剤層
５  再剥離性粘着剤層
６  離型剤層
７  日付
８  メモ記入欄
９  罫線
１０  被着物
【図１】
2005335104.tif 000003
【図２】
2005335104.tif 000004
【図３】
2005335104.tif 000005
【図４】
2005335104.tif 000006
【図５】
2005335104.tif 000007
【図６】
2005335104.tif 000008